(57)【要約】【課題】植物の生育に必要な光量子束密度を確保するために必要最少数のＬＥＤ灯具を使用した上で、栽培ラックの載置部に載せられた栽培槽に植えられた全植物に発せられる光量子束密度を均一化しうる植物栽培装置を提供する。【解決手段】植物栽培装置１は、複数の支柱７、および支柱７を利用して設けられかつ植物が植えられた栽培槽２を載せる載置部４を上下方向に間隔をおいて有する栽培ラック３と、各載置部４の上方に間隔をおいて栽培ラック３に配置されたＬＥＤ照明装置５とを備えている。栽培ラック３は想直方体内に収まるような形状であり、仮想直方体の４つの側面のうち少なくとも１つの側面に、栽培ラック３内側を向く反射面を有し、かつ前記側面の幅方向に移動しうる複数枚の反射板12を引戸状に設ける。【選択図】図１
2015043716.tif 000002
【特許請求の範囲】
【請求項１】
複数の支柱、および支柱を利用して設けられかつ植物が植えられた栽培槽を載せる載置部を有する栽培ラックと、載置部の上方に間隔をおいて栽培ラックに配置されたＬＥＤ照明装置とを備えている植物栽培装置であって、
栽培ラックが仮想直方体内に収まるような形状であり、前記仮想直方体の４つの側面のうち少なくとも１つの側面に、栽培ラック内側を向く反射面を有し、かつ前記側面の幅方向に移動しうる複数枚の反射板が引戸状に設けられている植物栽培装置。
【請求項２】
前記仮想直方体における複数枚の反射板が引戸状に設けられている側面が、栽培作業を行う作業者が向き合う側面である請求項１記載の植物栽培装置。
【請求項３】
栽培ラックの２つの支柱間に横桟が配置されており、反射板の上端部および下端部が、横桟に設けられたガイド溝内に摺動自在に嵌め入れられている請求項１または２記載の植物栽培装置。
【請求項４】
横桟に設けられたガイド溝の幅が、複数枚の反射板を嵌め入れることができる幅となっている請求項３記載の植物栽培装置。
【請求項５】
横桟に設けられたガイド溝の幅が、１枚の反射板のみを嵌め入れることができる幅となっている請求項３記載の植物栽培装置。
【請求項６】
横桟が下方に開口したチャンネル状形材からなり、引戸状に設けられた複数の反射板の上端部が嵌め入れられるガイド溝が、横桟の上水平壁の下面に設けられ、同じく下端部が嵌め入れられるガイド溝が、横桟の上水平壁の上面に設けられている請求項３〜５のうちのいずれかに記載の植物栽培装置。
【請求項７】
横桟が角筒状形材からなり、引戸状に設けられた複数の反射板の上端部が嵌め入れられるガイド溝が、横桟の下水平壁の下面に設けられ、同じく下端部が嵌め入れられるガイド溝が、横桟の上水平壁の上面に設けられている請求項３〜５のうちのいずれかに記載の植物栽培装置。
【請求項８】
少なくともいずれか一方のガイド溝が、横桟とは別個に設けられた横断面Ｕ字状溝形成部材を横桟に固定することにより設けられている請求項３〜７のうちのいずれかに記載の植物栽培装置。
【請求項９】
栽培ラックの２つの支柱間に横桟が配置されており、反射板が吊り下げ式であって、反射板の上端部に設けられた吊り車が、横桟に設けられたガイドレールに沿って転動するようになっている請求項１または２記載の植物栽培装置。
【請求項１０】
ガイドレールの上方に間隔をおいて、押さえレールが設けられており、吊り車が、ガイドレールと押さえレールとの間に配置されている請求項９記載の植物栽培装置。
【請求項１１】
ガイドレールが、横桟の外面に設けられており、ガイドレールの両端が前記仮想直方体の外方に臨んでいる請求項９または１０記載の植物栽培装置。
【発明の詳細な説明】
【技術分野】
【０００１】
この発明は、たとえばＬＥＤ照明装置を光源として使用し、かつ植物工場、野菜工場、育苗装置などで用いられる植物栽培装置に関する。
【０００２】
この明細書および特許請求の範囲において、図１の上下を上下というものとする。
【背景技術】
【０００３】
ＬＥＤ照明装置を用いた植物栽培装置として、本出願人は、先に、複数の支柱、および支柱を利用して設けられかつ植物が植えられた栽培槽を載せる載置部を有する栽培ラックと、載置部の上方に間隔をおいて栽培ラックに配置されたＬＥＤ照明装置とを有し、栽培ラックが、６つの仮想壁で囲まれた仮想直方体内に収まるような形状であるとともに、互いに間隔をおいて配置された２つの支柱からなる支柱対を３対以上備えており、栽培ラックの隣り合う支柱対に、ＬＥＤ照明装置の両側縁部を支持する支持部が上下方向に間隔をおいて複数設けられ、当該支持部を利用して、植物の成育状況に応じて、載置部に対するＬＥＤ照明装置の高さ位置を変更しうるように、ＬＥＤ照明装置が栽培ラックに取り付けられている植物栽培装置を提案した（特許文献１参照）。
【０００４】
特許文献１記載の植物栽培装置によれば、植物の種類や植物の成育状況に応じて載置棚に対するＬＥＤ照明装置の高さ位置を変更することによって、植物に照射する光強度を調節することが可能になる。
【０００５】
しかしながら、最近では、設備コストおよび消費電力コストを低減することを目的として、載置部に載せられた栽培槽に植えられた植物の生育に必要な光量子束密度を確保するために必要最少数のＬＥＤ灯具を使用した上で、載置部に載せられた栽培槽に植えられた全植物に発せられる光量子束密度を均一化することが求められている。
【先行技術文献】
【特許文献】
【０００６】
【特許文献１】特開２０１３−１７３９７号公報
【発明の概要】
【発明が解決しようとする課題】
【０００７】
この発明の目的は、上記要求に応じ、植物の生育に必要な光量子束密度を確保するために必要最少数のＬＥＤ灯具を使用した上で、栽培ラックの載置部に載せられた栽培槽に植えられた全植物に発せられる光量子束密度を均一化しうる植物栽培装置を提供することにある。
【課題を解決するための手段】
【０００８】
本発明は、上記目的を達成するために以下の態様からなる。
【０００９】
1)複数の支柱、および支柱を利用して設けられかつ植物が植えられた栽培槽を載せる載置部を有する栽培ラックと、載置部の上方に間隔をおいて栽培ラックに配置されたＬＥＤ照明装置とを備えている植物栽培装置であって、
栽培ラックが仮想直方体内に収まるような形状であり、前記仮想直方体の４つの側面のうち少なくとも１つの側面に、栽培ラック内側を向く反射面を有し、かつ前記側面の幅方向に移動しうる複数枚の反射板が引戸状に設けられている植物栽培装置。
【００１０】
2)前記仮想直方体における複数枚の反射板が引戸状に設けられている側面が、栽培作業を行う作業者が向き合う側面である上記1)記載の植物栽培装置。
【００１１】
3)栽培ラックの２つの支柱間に横桟が配置されており、反射板の上端部および下端部が、横桟に設けられたガイド溝内に摺動自在に嵌め入れられている上記1)または2)記載の植物栽培装置。
【００１２】
4)横桟に設けられたガイド溝の幅が、複数枚の反射板を嵌め入れることができる幅となっている上記3)記載の植物栽培装置。
【００１３】
5)横桟に設けられたガイド溝の幅が、１枚の反射板のみを嵌め入れることができる幅となっている上記3)記載の植物栽培装置。
【００１４】
6)横桟が下方に開口したチャンネル状形材からなり、引戸状に設けられた複数の反射板の上端部が嵌め入れられるガイド溝が、横桟の上水平壁の下面に設けられ、同じく下端部が嵌め入れられるガイド溝が、横桟の上水平壁の上面に設けられている上記3)〜5)のうちのいずれかに記載の植物栽培装置。
【００１５】
7)横桟が角筒状形材からなり、引戸状に設けられた複数の反射板の上端部が嵌め入れられるガイド溝が、横桟の下水平壁の下面に設けられ、同じく下端部が嵌め入れられるガイド溝が、横桟の上水平壁の上面に設けられている上記3)〜5)のうちのいずれかに記載の植物栽培装置。
【００１６】
8)少なくともいずれか一方のガイド溝が、横桟とは別個に設けられた横断面Ｕ字状溝形成部材を横桟に固定することにより設けられている上記3)〜7)のうちのいずれかに記載の植物栽培装置。
【００１７】
9)栽培ラックの２つの支柱間に横桟が配置されており、反射板が吊り下げ式であって、反射板の上端部に設けられた吊り車が、横桟に設けられたガイドレールに沿って転動するようになっている上記1)または2)記載の植物栽培装置。
【００１８】
10)ガイドレールの上方に間隔をおいて、押さえレールが設けられており、吊り車が、ガイドレールと押さえレールとの間に配置されている上記9)記載の植物栽培装置。
【００１９】
11)ガイドレールが、横桟の外面に設けられており、ガイドレールの両端が前記仮想直方体の外方に臨んでいる上記9)または10)記載の植物栽培装置。
【発明の効果】
【００２０】
上記1)〜11)の植物栽培装置によれば、栽培ラックが仮想直方体内に収まるような形状であり、前記仮想直方体の４つの側面のうち少なくとも１つの側面に、栽培ラック内側を向く反射面を有し、かつ前記側面の幅方向に移動しうる複数枚の反射板が引戸状に設けられているので、ＬＥＤ照明装置のＬＥＤ灯具から発せられた光を、直接植物に照射するだけではなく、反射板の反射面により反射して植物に照射することができる。したがって、載置部に載せられた栽培槽に植えられた植物の生育に必要な光量子束密度を確保するために必要最少数のＬＥＤ灯具を使用した上で、載置部に載せられた栽培槽に植えられた全植物に発せられる光量子束密度の均一化を図ることが可能になる。しかも、引戸状に設けられている複数の反射板のうちの少なくとも１つを移動させることにより、栽培ラックの載置部に載せられた栽培槽に植えられた植物を簡単に視認することができて植物の育成状況を確認することができるとともに、ＬＥＤ照明装置を簡単に視認することができてＬＥＤ照明装置のメンテナンスの要否を確認することができる。
【００２１】
また、上記2)の植物栽培装置のように、栽培ラックが収まる仮想直方体における複数枚の反射板が引戸状に設けられている側面が、栽培作業を行う作業者が向き合う側面であると、引戸状に設けられている複数の反射板のうちの少なくとも１つを移動させることにより、反射板が邪魔になることなく栽培作業や、ＬＥＤ照明装置のメンテナンス作業を行うことができる。
【００２２】
上記3)の植物栽培装置によれば、反射板の開閉に際し、反射板の横桟からの逸脱を防止するとともに、反射板の開閉をスムーズに行うことができる。
【００２３】
上記4)の植物栽培装置によれば、反射板の開閉に際し、隣接する反射板を引き違い状に交差させることができる。
【００２４】
上記5)の植物栽培装置によれば、ガイド溝と反射板との間のクリアランスが小さくなり、その結果反射板の横桟への取付を、がたつきが生じることなく安定して行うことができる。
【００２５】
上記6)および7)の植物栽培装置によれば、ガイド溝を横桟に比較的簡単に設けることができる。また、ガイド溝が横桟と一体構造となっているので、反射板の取付精度が向上するとともに、外観が良好になる。
【００２６】
上記8)の植物栽培装置によれば、材質、形状により反射板の肉厚が異なる場合であっても、反射板の横桟への取付に適したガイド溝を横桟に設けることができる。
【００２７】
上記9)の植物栽培装置によれば、反射板の横方向の動きがスムーズになる。また、ＬＥＤ照明装置や栽培槽の交換およびメンテナンス作業時には、反射板を持ち上げることによって反射板を簡単に取り外すことができる。
【００２８】
上記10)の植物栽培装置によれば、反射板の上端部に設けられた吊り車のガイドレールからの脱輪を防止することができる。
【００２９】
上記11)の植物栽培装置によれば、引戸状に設けられた反射板を、簡単に栽培ラックから取り外すことができ、反射板の交換作業を簡単に行うことが可能になる。
【図面の簡単な説明】
【００３０】
【図１】この発明の植物栽培装置を示す正面図である。
【図２】図１の植物栽培装置の栽培槽を省略した右側面図である。
【図３】図１の栽培槽を省略したＡ−Ａ線断面図である。
【図４】図３のＢ−Ｂ線拡大断面図である。
【図５】図１の要部拡大図である。
【図６】図５のＣ−Ｃ線断面図である。
【図７】図１のＤ−Ｄ線拡大断面図である。
【図８】図７の要部拡大図である。
【図９】図８のＥ−Ｅ線断面図である。
【図１０】第１横桟に設けられるガイド溝の変形例を示す図４相当の図である。
【図１１】第１横桟に設けられるガイド溝の他の変形例を示す図４相当の図である。
【図１２】第１横桟および第１横桟に設けられるガイド溝の変形例を示す図４相当の図である。
【図１３】第１横桟および第１横桟に設けられるガイド溝の他の変形例を示す図４相当の図である。
【図１４】引戸状に設けられる反射板の変形例を示す図４相当の図である。
【図１５】引戸状に設けられる反射板の変形例を示す図４相当の図である。
【発明を実施するための形態】
【００３１】
以下、この発明の実施形態を、図面を参照して説明する。この実施形態は、この発明による植物栽培装置を植物の水耕栽培に適用したものである。
【００３２】
図１〜図３はこの発明の植物栽培装置の全体構成を示し、図４〜図９はその要部の構成を示す。
【００３３】
以下の説明において、「アルミニウム」という用語には、純アルミニウムの他にアルミニウム合金を含むものとする。
【００３４】
また、以下の説明において、たとえば図１の紙面表側面（図２の左側）を前、これと反対側を後というものとし、前方から後方を見た際の左右、すなわち図１の左右）を左右というものする。
【００３５】
さらに、全図面を通じて同一物および同一部分には同一符号を付して重複する説明を省略する。
【００３６】
図１〜図３において、植物栽培装置(1)は、水耕栽培用の栽培槽(2)を載せる複数の載置部(4)が上下方向に間隔をおいて設けられた栽培ラック(3)と、各載置部(4)の上方に間隔をおいて栽培ラック(3)に配置されたＬＥＤ照明装置(5)とを備えており、ＬＥＤ照明装置(5)が、載置部(4)に対するＬＥＤ照明装置(5)の高さ位置を変更しうるように栽培ラック(3)に取り付けられている。
【００３７】
この実施形態においては、栽培ラック(3)の前側部分および後側部分にそれぞれ複数の載置部(4)およびＬＥＤ照明装置(5)が左右方向に並んで設けられている。
【００３８】
図示は省略したが、栽培槽(2)の上側はカバーにより覆われ、植物は、根がカバーの下側に広がるとともに茎がカバーに形成された貫通穴を通してカバーの上方に伸びるように、栽培槽(2)に植えられる。そして、栽培槽(2)におけるカバーよりも下方の部分に、水分や栄養分を含む養液が供給され、この養液が循環利用される。
【００３９】
栽培ラック(3)は、前後方向に間隔をおいて配置されたアルミニウム押出形材製の２本の垂直状の支柱(7)からなる支柱対(6)を、左右方向に間隔をおいて少なくとも２対、ここでは４対備えている。すなわち、栽培ラック(3)の左右両端部に、それぞれ３本の支柱(7)が前後方向に間隔をおいて設けられており、前端の支柱(7)と前後方向中間の支柱(7)によって前側支柱対(6)が形成され、後端の支柱(7)と前後方向中間の支柱(7)によって後側支柱対(6)が形成され、その結果左右方向に間隔をおいて設けられた２つの支柱対(6)からなる組が、前後に並んで２組設けられている。前後方向中間の支柱(7)は、前後の支柱対(6)に共有されている。
【００４０】
栽培ラック(3)の左右方向に間隔をおいて隣り合う前側支柱対(6)の前端の支柱(7)どうしの間、および後側支柱対(6)の後端の支柱(7)どうしの間に、それぞれ左右方向にのびる複数のアルミニウム押出形材製第１横桟(8)が上下方向に間隔をおいて配置されるとともに、第１横桟(8)の両端が支柱(7)に固定されている。また、左右方向に間隔をおいて隣り合う前側支柱対(6)の後端の支柱(7)どうしの間（後側支柱対(6)の前端の支柱(7)どうしの間）に、それぞれ左右方向にのびる複数のアルミニウム押出形材製角筒状第２横桟(10)が上下方向に間隔をおいて配置されるとともに、第２横桟(10)の両端が支柱(7)に固定されている。さらに、各支柱対(6)を形成する前後両支柱(7)どうしの間に、前後方向にのびる複数のアルミニウム押出形材製第３横桟(9)が上下方向に間隔をおいて配置されるとともに、第３横桟(9)の前後両端部が支柱(7)に固定されている。第１横桟(8)、第２横桟(10)および第３横桟(9)は同一高さに位置している。
【００４１】
上端の横桟(8)(9)(10)を除いた同一高さ位置にある第１横桟(8)、第２横桟(10)および第３横桟(9)のうちのいずれかを利用して載置部(4)が形成されている。たとえば、前後方向に隣り合う第１横桟(8)と第２横桟(10)との間に、前後方向にのびる複数のアルミニウム押出形材製受け部材(11)が左右方向に間隔をおいて配置されている。栽培槽(2)は、前後両載置部(4)上にそれぞれ載せられている。
【００４２】
栽培ラック(3)は仮想直方体内に収まるような形状、すなわち前後両側面の左右両端の４本の支柱(7)、前後両側面の上下両端の全第１横桟(8)が稜となる仮想直方体内に収まる形状であり、当該仮想直方体の４つの側面のうちの前側面および後側面に、栽培ラック(3)内側を向く反射面を有し、かつ前側面および後側面の幅方向に移動しうる複数枚の反射板(12)が引戸状に設けられている。なお、この実施形態においては、栽培ラック(3)の前側部分および後側部分にそれぞれ複数の載置部(4)およびＬＥＤ照明装置(5)が左右方向に並んで設けられており、前記仮想直方体の前側面および後側面が、栽培作業を行う作業者が向き合う側面である。ここでは、上下方向に隣り合う第１横桟(8)間に、４枚の反射板(12)が引戸状に設けられている。反射板(12)の上端部および下端部は、第１横桟(8)に設けられたガイド溝(13)(14)内に摺動自在に嵌め入れられている。
【００４３】
図４に示すように、第１横桟(8)は、下方に開口したチャンネル状のアルミニウム押出形材からなり、第１横桟(8)の上水平壁(8a)の下面における栽培ラック(3)内側端部に、反射板(12)の上端部が摺動自在に嵌め入れられるガイド溝(13)が形成されている。ガイド溝(13)の幅は、複数枚、ここでは２枚の反射板(12)を嵌め入れることができる幅となっている。ガイド溝(13)は、上水平壁(8a)に下方突出状に一体に設けられた溝形成壁(13a)と、第１横桟(8)の栽培ラック(3)内側の垂直壁(8b)との間に形成されている。また、第１横桟(8)の上水平壁(8a)の上面における栽培ラック(3)内側端部に、反射板(12)の下端部が摺動自在に嵌め入れられるガイド溝(14)が形成されている。ガイド溝(14)は、上水平壁(8a)に前後方向に間隔をおいて上方突出状に一体に設けられた２つの溝形成壁(14a)間に形成されている。両ガイド溝(13)(14)の前後方向の位置は同じであり、両ガイド溝(13)(14)にそれぞれ４枚の反射板(12)の上下両端部が、２枚の反射板(12)が前後方向の同一位置に来るように嵌め入れられている。すなわち、４枚の反射板(12)のうちの２枚が、左右方向に相互に異なる位置で、かつ前後方向に互いに同一位置に来るようにガイド溝(13)(14)内に嵌め入れられ、他の２枚が、左右方向に相互に異なる位置で、かつ前記他の２枚と前後方向に異なる位置に来るとともに、前後方向に互いに同一位置に来るようにガイド溝(13)(14)内に嵌め入れられている。
【００４４】
反射板(12)としては、たとえばポリカーボネート、ポリエチレン、ポリ塩化ビフェニール、ＡＢＳ、アクリルなどの合成樹脂を用いて形成された微細発泡シートや、表面に樹脂がコーティングされた鋼板や、表面に金属が蒸着された合成樹脂板が用いられる。具体例を挙げると、帝人社製「Panlite」、古河電工社製「Mcpet」、リバース社製「ディフューレ」などが用いられる。
【００４５】
下端の第１横桟(8)および第２横桟(10)を除いた他の第１横桟(8)および第２横桟(10)に、ＬＥＤ照明装置(5)を吊持する複数のアルミニウム押出形材製吊持部材(15)が左右方向に間隔をおいて固定されている。上下方向に隣り合う第１横桟(8)および第２横桟(10)の吊持部材(15)は、左右方向の同一位置に固定されている。
【００４６】
図５〜図７に示すように、吊持部材(15)は垂直角筒状であり、上下方向の長さは、上下方向に隣り合う載置部(4)間の間隔よりも短くなっている。第１横桟(8)の栽培ラック(3)内側を向いた面には、上部が第１横桟(8)に固定されるとともに下部が第１横桟(8)よりも下方に突出したアルミニウム製プレート(16)が配置されており、プレート(16)の下部に、吊持部材(15)の上端寄りの部分が固定されている。また、詳細な図示は省略したが、第２横桟(10)の前後両側面に、上部が第２横桟(10)に固定されるとともに下部が第２桟(10)よりも下方に突出したアルミニウム製プレート(16)が配置されており、両プレート(16)の下部間に吊持部材(15)の上端寄りの部分が固定されている。
【００４７】
左右方向に間隔をおいて隣り合う前後２組の支柱対(6)の前後両支柱(7)の左右方向内側面、およびすべての吊持部材(15)の左右両側面に、それぞれＬＥＤ照明装置(5)の左右両側縁部を支持するアルミニウム押出形材製受けレール(17)が上下方向に間隔をおいて複数設けられている。各受けレール(17)は、垂直部(17a)、および垂直部(17a)の上端近傍に一体に設けられかつ垂直部(17a)からＬＥＤ照明装置(5)側に突出した水平部(17b)よりなる。各支柱対(6)の前後両支柱(7)に設けられた各受けレール(17)は、長手方向を前後方向に向けた状態で栽培ラック(3)の左右両端に位置する前後２組の支柱対(6)の３本の支柱(7)に跨って配置されて、垂直部(17a)が支柱(7)に固定されている。吊持部材(15)の左右両側面に設けられた各受けレール(17)は、長手方向を前後方向に向けた状態で前後方向に間隔をおいて設けられた３つの吊持部材(15)に跨って配置されて、吊持部材(15)に固定されている。
【００４８】
図５〜図９に示すように、ＬＥＤ照明装置(5)は、額縁状の水平枠(18)と、長手方向を左右方向に向けた状態で水平枠(18)に着脱自在に取り付けられた複数の直管状ＬＥＤ灯具(19)と、ＬＥＤ灯具(19)の上方に位置するように水平枠(18)に着脱自在に取り付けられかつ反射面が下方を向いた板状の反射部材(21)とを備えている。
【００４９】
水平枠(18)は、長手方向を前後方向に向けたアルミニウム押出形材製左右両枠部材(22)と、長手方向を左右方向に向けた状態で左右両枠部材(22)の前後両端部間に配置され、かつ左右両端部が左右両枠部材(22)に固定された横断面略Ｌ字状のアルミニウム押出形材製前後両枠部材(23)とよりなる。
【００５０】
左右両枠部材(22)は、垂直状の灯具支持部(24)と、灯具支持部(24)の下端に一体に設けられて水平枠(18)外側に張り出し、かつ受けレール(17)の水平部(17b)に、前後方向に摺動自在に載せられる被受け部(25)とからなる。灯具支持部(24)には、上端から下方にのびる複数の切り欠き(26)が前後方向に間隔をおいて形成されている。灯具支持部(24)は、受けレール(17)の水平部(17b)のＬＥＤ照明装置(5)内側への突出端よりも水平枠(18)内側に位置している。
【００５１】
直管状ＬＥＤ灯具(19)は、左右両端部が、水平枠(18)の左右両枠部材(22)の灯具支持部(24)に形成された切り欠き(26)内に嵌め入れられ、水平枠(18)に着脱自在に取り付けられたアルミニウム押出形材製押さえ部材(27)によって固定されている。押さえ部材(27)は長手方向を前後方向に向けた水平帯板状であり、前後両端部が、水平枠(18)の前後両枠部材(23)の上端における上端水平部(23a)の左右両端部にねじ(28)によって固定されている。押さえ部材(27)には、水平枠(18)内方に開口した反射部材嵌入溝(29)が形成されている。そして、ＬＥＤ灯具(19)の左右両端部が、弾性部材(31)を介して押さえ部材(27)により上方から押さえられることによって、ＬＥＤ灯具(19)が固定されている。水平枠(18)の左右両枠部材(22)の灯具支持部(24)よりも水平枠(18)外側の部分において、ＬＥＤ灯具(19)の両端部に設けられた通電用ピン(19a)に、給電用配線(32)に取り付けられたコネクタ(33)が接続されている。
【００５２】
反射部材(21)は、左右両側縁部が押さえ部材(27)の反射部材嵌入溝(29)内に嵌め入れられるとともに、押さえ部材(27)の反射部材嵌入溝(29)の上壁部、および反射部材(21)を貫通したねじ(34)を、押さえ部材(27)の反射部材嵌入溝(29)の下壁部に設けられたねじ穴（図示略）にねじ嵌めることによって、押さえ部材(27)に着脱自在に固定されている。したがって、反射部材(21)は、ＬＥＤ灯具(19)とは別個に水平枠(18)に対して着脱自在となっている。また、反射部材(21)には、ＬＥＤ灯具(19)の電源（図示略）から発せられる熱を逃がすための貫通穴(35)が形成されている。
【００５３】
ＬＥＤ照明装置(5)の水平枠(18)の左右両枠部材(22)の被受け部(25)は、栽培槽(2)に植えられた植物の種類や植物の成育状況に応じて、各載置部(4)の上方に設けられたいずれかの高さ位置の受けレール(17)の水平部(17b)に載せられる。そして、載置部(4)に載せられた栽培槽(2)の植物に対するＬＥＤ照明装置(5)の高さ位置が変更されることによって、植物の種類や植物の成育状況に応じて、植物に照射する光強度を調節することが可能になる。
【００５４】
上記実施形態においては、植物栽培装置は、植物の水耕栽培に適用されているが、これに限定されるものではなく、植物の土耕栽培にも適用されることもある。この場合、植物は、載置部(4)に載せられた栽培槽内に入れられた土に植えられる。
【００５５】
図１０および図１１は、第１横桟に設けられかつ反射板の上下両端部が摺動自在に嵌め入れられるガイド溝の変形例を示す。
【００５６】
図１０において、第１横桟(8)の上水平壁(8a)の下面における栽培ラック(3)内側端部に、反射板(12)の上端部が摺動自在に嵌め入れられる２つのガイド溝(40)が前後に並んで形成されている。ガイド溝(40)の前後方向の幅は、２枚の反射板(12)を嵌め入れることができる幅となっている。ガイド溝(40)は、上水平壁(8a)に前後方向に間隔をおいて下方突出状に一体に設けられた２つの溝形成壁(40a)間、および栽培ラック(3)内側の溝形成壁(40a)と第１横桟(8)の栽培ラック(3)内側の垂直壁(8b)との間に形成されている。また、第１横桟(8)の上水平壁(8a)の上面における栽培ラック(3)内側端部に、反射板(12)の下端部が摺動自在に嵌め入れられる２つのガイド溝(41)が形成されている。ガイド溝(41)は、上水平壁(8a)に前後方向に間隔をおいて上方突出状に一体に設けられた３つの溝形成壁(41a)間に形成されている。両ガイド溝(40)(41)の前後方向の位置は同じであり、両ガイド溝(40)(41)にそれぞれ４枚の反射板(12)の上下両端部が、２枚の反射板(12)が前後方向の同一位置に来るように嵌め入れられている。すなわち、４枚の反射板(12)のうちの２枚が、左右方向に相互に異なる位置で、かつ前後方向に互いに同一位置に来るようにガイド溝(40)(41)内に嵌め入れられ、他の２枚が、左右方向に相互に異なる位置で、かつ前記他の２枚と前後方向に異なる位置に来るとともに、前後方向に互いに同一位置に来るようにガイド溝(40)(41)内に嵌め入れられている。
【００５７】
図１１において、第１横桟(8)の上水平壁(8a)の下面における栽培ラック(3)内側端部に設けられ、かつ反射板(12)の上端部が摺動自在に嵌め入れられるガイド溝(45)は、第１横桟(8)とは別個に形成されかつ横断面形状が下方に開口した略Ｕ字状である溝形成部材(46)を、上水平壁(8a)の下面に固定することによって設けられている。溝形成部材(46)は、適当な合成樹脂または金属を用いてつくられる。ガイド溝(45)の幅は、複数枚、ここでは２枚の反射板(12)を嵌め入れることができる幅となっている。
【００５８】
図１２および図１３は、第１横桟および第１横桟に設けられるガイド溝の変形例を示す
図１２において、栽培ラック(3)の左右方向に間隔をおいて隣り合う前側支柱対(6)の前端の支柱(7)どうしの間、および後側支柱対(6)の後端の支柱(7)どうしの間に配置される第１横桟(50)は角筒状のアルミニウム押出形材からなり、第１横桟(50)の下水平壁(50a)の下面における栽培ラック(3)内側端部に、反射板(12)の上端部が摺動自在に嵌め入れられるガイド溝(51)が形成されている。ガイド溝(51)の幅は、複数枚、ここでは２枚の反射板(12)を嵌め入れることができる幅となっている。ガイド溝(51)は、下水平壁(50a)に下方突出状に前後方向に間隔をおいて一体に設けられた２つの溝形成壁(51a)間に形成されている。また、第１横桟(50)の上水平壁(50b)の上面における栽培ラック(3)内側端部に、反射板(12)の下端部が摺動自在に嵌め入れられるガイド溝(52)が形成されている。ガイド溝(52)は、上水平壁(50b)に前後方向に間隔をおいて上方突出状に一体に設けられた２つの溝形成壁(52a)間に形成されている。両ガイド溝(51)(52)の前後方向の位置は同じであり、両ガイド溝(51)(52)にそれぞれ４枚の反射板(12)の上下両端部が、２枚の反射板(12)が前後方向の同一位置に来るように嵌め入れられている。すなわち、４枚の反射板(12)のうちの２枚が、左右方向に相互に異なる位置で、かつ前後方向に互いに同一位置に来るようにガイド溝(51)(52)内に嵌め入れられ、他の２枚が、左右方向に相互に異なる位置で、かつ前記他の２枚と前後方向に異なる位置に来るとともに、前後方向に互いに同一位置に来るようにガイド溝(51)(52)内に嵌め入れられている。
【００５９】
図１３において、第１横桟(50)の下水平壁(50a)の下面における栽培ラック(3)内側端部に設けられ、かつ反射板(12)の上端部が摺動自在に嵌め入れられるガイド溝(55)は、第１横桟(50)の下水平壁(50a)を上方に凹むように変形させることによって、第１横桟(50)の栽培ラック(3)内側の垂直壁(50c)との間に形成されている。ガイド溝(55)の幅は、複数枚、ここでは２枚の反射板(12)を嵌め入れることができる幅となっている。
【００６０】
図１４および図１５は、引戸状に設けられる反射板の変形例を示す。
【００６１】
図１４において、栽培ラック(3)の左右方向に間隔をおいて隣り合う前側支柱対(6)の前端の支柱(7)どうしの間、および後側支柱対(6)の後端の支柱(7)どうしの間に配置される第１横桟(50)は角筒状のアルミニウム押出形材からなり、上下方向に隣り合う第１横桟(50)間に引戸状に設けられた４枚の反射板(12)は吊り下げ式である。
【００６２】
第１横桟(50)における栽培ラック(3)外側の垂直壁(50d)外面に、栽培ラック(3)の外方に突出した水平部(60a)および水平部(60a)の先端に一体に設けられて上方に突出した垂直部(60b)からなる第１ガイドレール(60)と、第１ガイドレール(60)よりも上方において栽培ラック(3)の外方に突出した水平部(61a)および水平部(61a)の先端に一体に設けられて上方に突出した垂直部(61b)からなる第２ガイドレール(61)とが設けられている。第２ガイドレール(61)の水平部(61a)の幅は第１ガイドレール(60)の水平部(60a)の幅よりも広くなっており、第２ガイドレール(61)の垂直部(61b)は、第１ガイドレール(60)の垂直部(60b)よりも栽培ラック(3)の外方に位置している。
【００６３】
各反射板(12)の外面上端部には、上端が反射板(12)の上端よりも上方に突出した複数の吊り車支持部材(62)が左右方向に間隔をおいて固定されており、吊り車支持部材(62)における反射板(12)上端よりも上方に突出した部分の栽培ラック(3)内側を向いた面に吊り車(63)が前後方向にのびる軸線の周りに回転自在に取り付けられており、２枚の反射板(12)の吊り車(63)が各ガイドレール(60)(61)に沿って左右方向に転動するようになっている。
【００６４】
また、第１横桟(50)の上水平壁(50b)の栽培ラック(3)外側縁に連なって、両ガイドレール(60)(61)、反射板(12)の上端部、吊り車支持部材(62)および吊り車(63)を覆うカバー(64)が一体に設けられている。
【００６５】
なお、ガイドレール(60)(61)の左右両端が前記仮想直方体の外方に臨んでいることが好ましい。
【００６６】
図１５において、各ガイドレール(60)(61)の上方に間隔をおいて、押さえレール(65)(66)が設けられている。第１ガイドレール(60)の上方に設けられた第１押さえレール(65)は、第１横桟(50)における栽培ラック(3)外側の垂直壁(50d)外面に、栽培ラック(3)の外方に突出した水平部(65a)および水平部(65a)の先端に一体に設けられて下方に突出しかつ第１ガイドレール(60)の垂直部(60b)の上方に位置する垂直部(65b)からなる。第２ガイドレール(61)の上方に設けられた第２押さえレール(66)は、カバー(64)の水平壁(64a)に一体に設けられて下方に突出しかつ第２ガイドレール(61)の垂直部(61b)の上方に位置する垂直部(66b)からなる。そして、吊り車(63)は、両垂直部(60b)(65b)および(61b)(66a)間で転動するようになっている。
【００６７】
なお、ガイドレール(60)(61)および押さえレール(65)(66)の左右両端が前記仮想直方体の外方に臨んでいることが好ましい。
【産業上の利用可能性】
【００６８】
この発明による植物栽培装置は、ＬＥＤ照明装置を人工光源とする植物工場、野菜工場、育苗装置などにおいて好適に用いられる
【符号の説明】
【００６９】
(1)：植物栽培装置
(2)：栽培槽
(3)：栽培ラック
(4)：載置部
(5)：ＬＥＤ照明装置
(7)：支柱
(8)：第１横桟
(8a)：上水平壁
(12)：反射板
(13)(14)(40)(41)(45)(51)(52)(55)：ガイド溝
(17)：受けレール
(15)：水平枠
(16)：ＬＥＤ灯具
(17)：反射部材
(46)：溝形成部材
(50)：第１横桟
(50a)：下壁
(50b)：上壁
(60)(61)：ガイドレール
(63)：吊り車
(65)(66)：押さえレール
【図１】
2015043716.tif 000003
【図２】
2015043716.tif 000004
【図３】
2015043716.tif 000005
【図４】
2015043716.tif 000006
【図５】
2015043716.tif 000007
【図６】
2015043716.tif 000008
【図７】
2015043716.tif 000009
【図８】
2015043716.tif 000010
【図９】
2015043716.tif 000011
【図１０】
2015043716.tif 000012
【図１１】
2015043716.tif 000013
【図１２】
2015043716.tif 000014
【図１３】
2015043716.tif 000015
【図１４】
2015043716.tif 000016
【図１５】
2015043716.tif 000017